(57)【要約】【課題】  小型軽量化を図り使用者の装着感を向上させることのできる映像表示装置を実現することである。【解決手段】  映像光を左右の眼を結ぶ方向に投射する投光ユニット２０と、投光ユニット２０に一体化され、左右の眼のいずれか一方若しくは両方に投光ユニット２０からの映像光を導く接眼光学ユニット１０Ｒ（第１プリズム１１、ホログラム素子１３、第２プリズム１２）と、を備え、投光ユニット２０は、眼鏡の左右のプリズム１０Ｒ、１０Ｌの間に位置して眼鏡に取り付けられること、を特徴とする映像表示装置１。【選択図】図１
2006126590.tif 000002
【特許請求の範囲】
【請求項１】
映像光を左右の眼を結ぶ方向に投射する投光ユニットと、
前記投光ユニットに一体化され、左右の眼のいずれか一方若しくは両方に前記投光ユニットからの映像光を導く接眼光学ユニットと、を備え、
前記投光ユニットは、眼鏡の左右の眼鏡レンズの間に位置して前記眼鏡に取り付けられること、
を特徴とする映像表示装置。
【請求項２】
請求項１に記載の映像表示装置において、
前記接眼光学ユニットは、前記眼鏡レンズと一体に形成されていること、
を特徴とする映像表示装置。
【請求項３】
請求項１に記載の映像表示装置において、
前記接眼光学ユニットは、前記眼鏡レンズと別体に形成されていること、
を特徴とする映像表示装置。
【請求項４】
請求項３に記載の映像表示装置において、
前記接眼光学ユニットは、前記眼鏡レンズの内側に配置されていること、
を特徴とする映像表示装置。
【請求項５】
請求項３に記載の映像表示装置において、
前記接眼光学ユニットは、前記眼鏡レンズの外側に配置されていること、
を特徴とする映像表示装置。
【請求項６】
請求項３から５のいずれか一項に記載の映像表示装置において、
前記眼鏡における左右の眼鏡レンズの間に係合部材が設けられ、当該係合部材を介して前記投光ユニットが当該眼鏡に着脱可能に構成されていること、
を特徴とする映像表示装置。
【請求項７】
請求項６に記載の映像表示装置において、
前記係合部材を介して前記眼鏡に着脱可能なカバーユニットを有すること、
を特徴とする映像表示装置。
【請求項８】
請求項１から７のいずれか一項に記載の映像表示装置において、
前記接眼光学ユニットは、前記投光ユニットからの映像光を回折させて眼に導くプリズムを含み、前記プリズムは、ホログラムの反射膜を用いて形成されていること、
を特徴とする映像表示装置。
【発明の詳細な説明】
【技術分野】
【０００１】
本発明は、映像表示装置に関するものであり、詳しくは２次元映像をホログラム素子を用いて観察者眼にシースルーで投影表示するヘッドマウンドディスプレイ（ＨＭＤ；Head Mounted Display）、ヘッドアップディスプレイ（ＨＵＤ；Head Up Display）等の映像表示装置に関する。
【背景技術】
【０００２】
頭部装着型のＨＭＤ、ＨＵＤ等の映像表示装置は、映像光を照射する投光ユニットと、映像光を使用者の眼に導く接眼光学ユニットとを備え、投光ユニットから投影される映像光が接眼光学ユニットに介され使用者の眼に導かれることによって、使用者が映像を観察することができるようになっている。
【０００３】
このような映像表示装置は、装置全体が大型の高重量となっており一般的な眼鏡とは形状や大きさがかけ離れているため、公共の場等で装着する場合には、使用者の周囲に対する違和感が大きい等の理由から、必ずしも使い勝手のよいものではなかった。
【０００４】
そこで、近年の映像表示装置としては、投光ユニットや接眼光学ユニットの小型化に伴い、眼鏡レンズの上部又は下部にクリップ等の支持体により投光ユニットを備える映像表示装置や、投光ユニットと接眼光学ユニットとを分散化させた映像表示装置が考案されている。
【０００５】
例えば、表示デバイスと、表示デバイスにより作成された表示像を拡大表示する光学系と、表示デバイスと光学系を一体にまとめる筺体とを有した表示器ユニットであって、該
表示器ユニットにクランプを設け、該クランプを眼鏡レンズ又は眼鏡フレームに取り付けてなる小型表示装置が開示されている（特許文献１参照）。
【０００６】
眼鏡型のフレーム部と支持部とマイクロディスプレイユニットを有する表示装置であって、フレーム部におけるリム部の縁部の下端に支持部がとり付けられており、マイクロディスプレイユニットは、支持部に対して回転可能に軸支されている表示装置が開示されている（特許文献２参照）。
【０００７】
画像信号を画像に変換する信号／画像変換部と、該画像信号を画像そのものの形で伝送する像伝導管と、この像伝導管により伝送された画像を表示する画像表示部とを備え、信号／画像変換部と画像表示部とを空間的に離すように像伝送管を用いて結合したディスプレイ装置が開示されている（特許文献３参照）。
【特許文献１】特開２０００−１１２３９６号公報
【特許文献２】特開２００３−４６９０３号公報
【特許文献３】特開平１０−１２３４５３号公報
【発明の開示】
【発明が解決しようとする課題】
【０００８】
しかしながら、特許文献１又は２のような眼鏡装着型又は眼鏡一体型の映像表示装置の投光ユニットは、眼鏡レンズの上下又は左右に設けられるため、眼鏡の重心は投光ユニットが設けられた方向に傾き、眼鏡の重量バランスが崩れるため、眼鏡にモーメント力が生じ、眼鏡が撓んだり使用者にとって装着感が悪くなるという問題がある。また、特許文献３のように投光ユニットと接眼光学ユニットとを分離させた場合であっても、像伝送管が眼鏡の一方の柄に支持されて、柄の部分から片眼の眼鏡レンズ近傍に設けられた虚像光学系に投影するよう構成されているため、眼鏡にモーメント力が生じ、使用者にとって装着感が悪くなるという問題がある。
【０００９】
本発明の課題は、小型軽量化を図り使用者の装着感を向上させることのできる映像表示装置を実現することである。
【課題を解決するための手段】
【００１０】
請求項１に記載の発明は、映像光を左右の眼を結ぶ方向に投射する投光ユニットと、
前記投光ユニットに一体化され、左右の眼のいずれか一方若しくは両方に前記投光ユニットからの映像光を導く接眼光学ユニットと、を備え、前記投光ユニットは、眼鏡の左右の眼鏡レンズの間に位置して前記眼鏡に取り付けられること、を特徴とする映像表示装置であること、を特徴としている。
【００１１】
請求項２に記載の発明は、請求項１に記載の映像表示装置において、前記接眼光学ユニットは、前記眼鏡レンズと一体に形成されていること、を特徴としている。
【００１２】
請求項３に記載の発明は、請求項１に記載の映像表示装置において、前記接眼光学ユニットは、前記眼鏡レンズと別体に形成されていること、を特徴としている。
【００１３】
請求項４に記載の発明は、請求項３に記載の映像表示装置において、前記接眼光学ユニットは、前記眼鏡レンズの内側に配置されていること、を特徴としている。
【００１４】
請求項５に記載の発明は、請求項３に記載の映像表示装置において、前記接眼光学ユニットは、前記眼鏡レンズの外側に配置されていること、を特徴としている。
【００１５】
請求項６に記載の発明は、請求項３から５のいずれか一項に記載の映像表示装置において、前記眼鏡における左右の眼鏡レンズの間に係合部材が設けられ、当該係合部材を介して前記投光ユニットが当該眼鏡に着脱可能に構成されていること、を特徴としている。
【００１６】
請求項７に記載の発明は、請求項６に記載の映像表示装置において、前記係合部材を介して前記眼鏡に着脱可能なカバーユニットを有すること、を特徴としている。
【００１７】
請求項８に記載の発明は、請求項１から７のいずれか一項に記載の映像表示装置において、前記接眼光学ユニットは、前記投光ユニットからの映像光を回折させて眼に導くプリズムを含み、前記プリズムは、ホログラムの反射膜を用いて形成されていること、を特徴としている。
【発明の効果】
【００１８】
請求項１に記載の発明によれば、投光ユニットを左右の眼鏡レンズの間に位置させて眼鏡に取り付けられるので、眼鏡の左右の重量バランスを向上させることができ、従って眼鏡の装着感を向上させることができる。
【００１９】
請求項２に記載の発明によれば、請求項１と同様の効果を得られるのは勿論のこと、使用者の周囲に対する違和感の少ない映像表示装置を実現できる。
【００２０】
請求項３に記載の発明によれば、請求項１と同様の効果を得られるのは勿論のこと、使用者が普段使用している眼鏡レンズを備えた眼鏡との組合せであっても、眼鏡の左右の重量バランスのとれた映像表示装置を実現することができる。
【００２１】
請求項４に記載の発明によれば、請求項３と同様効果を得られるのは勿論のこと、接眼光学ユニットを眼鏡レンズの内側に配置することができる。
【００２２】
請求項５に記載の発明によれば、請求項３と同様効果を得られるのは勿論のこと、接眼光学ユニットを眼鏡レンズの外側に配置することができる。
【００２３】
請求項６に記載の発明によれば、請求項３から５のいずれか一項と同様の効果を得られるのは勿論のこと、映像表示が不要である場合、通常の眼鏡として使用することができる。
【００２４】
請求項７に記載の発明によれば、請求項６と同様の効果を得られるのは勿論のこと、投光ユニットを装着しない場合、通常の眼鏡としてデザイン的に違和感なく使用することができる。
【００２５】
請求項８に記載の発明によれば、請求項１から７のいずれか一項と同様の効果を得られるのは勿論のこと、ホログラムの反射膜部分と周辺のプリズム部分で光透過量の差が小さい、いわゆるシースルー性の高い特徴が得られ、映像と外界の両方の観察が容易になる。
【発明を実施するための最良の形態】
【００２６】
[実施の形態１]
以下、図を参照して本発明の実施の形態１を詳細に説明する。
図１に、本実施の形態１における映像表示装置１の斜視図を示す。
図１に示すように、映像表示装置１は、眼鏡レンズとしてのプリズム１０Ｒ、１０Ｌは、投光ユニット２０により連結され、投光ユニット２０には、使用者の鼻に掛ける左右一対の鼻当て部３１Ｒ、３１Ｌが取り付けられている。プリズム１０Ｒ、１０Ｌの両端には、使用者の耳に掛けるテンプル部３２Ｒ、３２Ｌが延設されている。また、投光ユニット２０は、操作ユニット４０からの電源供給及び信号供給用としてケーブル４１に接続されている。このような構成により、プリズム１０Ｒ、１０Ｌが使用者の左右の眼前に配される。
【００２７】
なお、本実施の形態１では、操作ユニット４０と投光ユニット２０とは個別に設けられた構成として示したが、操作ユニット４０が投光ユニット２０と共に設けられた構成であってもよい。
【００２８】
プリズム１０Ｌは、平板状であり、単一の部材で構成されている。
プリズム１０Ｒもプリズム１０Ｌと同様に平板状であるが、単一の部材ではなく、第１プリズム１１、第２プリズム１２、ホログラムの反射膜であるホログラム素子１３から構成されている。プリズム１０Ｒを成す第１プリズム１１と第２プリズム１２は、相補的な形状を有し、隙間なく、かつ表面が連続するように接合されている。
プリズム１０Ｌ、第１プリズム１１、第２プリズム１２は、同じ材料で作製されており、これら３者に屈折率の差はない。また、プリズム１０Ｒ、１０Ｌは、投光ユニット２０に連結されるための取付孔が設けられている。
【００２９】
第１プリズム１１が第２プリズム１２と接合しない端部を有することを除いて、プリズム１０Ｒ、１０Ｌは、一般的な眼鏡レンズ同様、対称形である。
【００３０】
本発明の映像表示装置１を顔前に装着した使用者は、プリズム１０Ｒ、１０Ｌを通して外界を観察することとなる。
【００３１】
投光ユニット２０は、左右のプリズム１０Ｒとプリズム１０Ｌの間に位置して取り付けられ、左右の眼を結ぶ方向に映像光を第１プリズム１１に投射する。
【００３２】
図２に、本実施の形態１におけるプリズム１０Ｒと投光ユニット２０の断面図を示す。
図２に示すように、投光ユニット２０は、光源２１、集光レンズ２２、表示パネル２３、筺体２４等から構成される。
【００３３】
光源２１は、発光ダイオード（ＬＥＤ；Light Emitting Diode）等から成り、表示パネル２３への照射光を出射する。集光レンズ２２は、光源２１からの光を集光して表示パネル２３全面に均一に導く。表示パネル２３は、透過型の液晶表示器（ＬＣＤ；Liquid Crystal Display）から成り、使用者に表示するための映像を表示し、第１プリズム１１の表面１１ａに対して傾斜して配されている。
【００３４】
筺体２４は、光源２１、集光レンズ２２、表示パネル２３を覆い保持し、かつ、鼻当て部３１と、プリズム１０Ｒ、１０Ｌを支持している。筺体２４は、プリズム１０Ｒ、１０Ｌを支持するための連結部２５Ｒ、２５Ｌを備える。
【００３５】
連結部２５Ｒは、プリズム１０Ｒの一端部を挟み込み、連結部２５Ｒの一端からプリズム１０Ｒに設けられた取付孔１４にボルト２５ａが嵌入される。ボルト２５ａは、結合部２５Ｒの他端に螺合され、更にナット２５ｂに螺合されている。プリズム１０Ｌを支持するための連結部２５Ｌも同様の構成であるため、図示及び説明は省略する。
【００３６】
光源２１の発光や表示パネル２３の映像表示は、操作ユニット４０によって電力や映像信号が供給される。
【００３７】
第１プリズム１１は、透明なガラス又は樹脂で作製されている。
表示パネル２３から光が投射される側の第１プリズム１１の部位形状は、投光ユニット２０側の方がテンプル３２Ｒ側よりも厚い楔状とされている。また、第２プリズム１２と接合される第１プリズム１１の部位形状は、プリズム１０Ｒの中央に向かうほど前面（眼Ｅから遠い面）が後面（眼Ｅに近い面）に近づくように作製されており、楔状である。この楔状の部位の前面（第２プリズム１２との接合面）は平面であり、この平面にはホログラム素子１３が形成されている。
ホログラム素子１３は、映像表示装置１の装着時に使用者の眼Ｅの直前に位置する。
【００３８】
第１プリズム１１は、表示パネル２３からの映像光を使用者の眼Ｅに導いて、表示パネル２３に表示された映像の虚像を表示する。
第１プリズム１１は、表示パネル２３からの映像光を、第１プリズム１１の表面１１ａより内部に導き入れ、前面と後面で複数回全反射させながら、ホログラム素子１３に導く。ホログラム素子１３は、導かれた光を回折させて、平行光に近い光束としながら、眼Ｅに入射させる。これにより、使用者の眼Ｅには、表示パネル２３に表示された映像の虚像が表示される。
【００３９】
ホログラム素子１３は外界からの光にほとんど作用せず、虚像は外界の像の中央部に重なって観察される。また、ホログラム素子１３を用いることにより、プリズム１０Ｒは、ホログラムの反射膜部分と周辺のプリズム部分で光透過量の差が小さい、いわゆるシースルー性の高い特徴が得られ、映像と外界の両方の観察が容易になる。
【００４０】
このように、第１プリズム１１、第２プリズム１２、ホログラム素子１３により透光性を有する接眼光学ユニットが構成される。
【００４１】
なお、本実施の形態１の映像表示装置１は、右眼に映像を表示するように構成されているが、左眼に映像を表示するように構成されていてもよく、両眼に映像を表示するように構成されていてもよい。
【００４２】
このように、左右の雌を結ぶ方向に映像光を投射する投光ユニット２０をプリズム１０Ｒとプリズム１０Ｌとの間に位置させて眼鏡に取り付けされる構成とすることによって、眼鏡の左右の重量バランスを向上させることができ、装着感が向上された映像表示装置１を実現することができる。また、接眼光学ユニットがプリズム１０Ｒとして一体に形成されていることにより、使用者の周囲に対する違和感の少ない映像表示装置１を実現できる。
【００４３】
[実施の形態２]
以下、図を参照して本発明の実施の形態２を詳細に説明する。
本実施の形態２の映像表示装置は、使用者の視力矯正として用いられている視力矯正眼鏡やサングラス等の眼鏡と組合わされた映像表示装置である。実施の形態１と同様の部分には同様の符号を付し、詳細な説明は省略する。
【００４４】
図３に、本実施の形態２における眼鏡レンズと投光ユニット２０の一部断面図を示す。
図３に示す本実施の形態２の映像表示装置の一部断面図は、右眼用の眼眼レンズとしての視力矯正レンズ５０Ｒと接眼光ユニットとしてのプリズム６０が別体として形成されており、プリズム６０を視力矯正レンズ５０Ｒの内側（視力矯正レンズ５０Ｒを基準として眼に近い側。以下、使用者の眼前という。）に配置した構成となっている。
【００４５】
投光ユニット２０は、光源２１、集光レンズ２２、表示パネル２３、筺体２６等から構成される。
【００４６】
筺体２６は、光源２１、集光レンズ２２、表示パネル２３を覆い保持し、かつ、左右一対の鼻当て部３１Ｒ（鼻当て部３１Ｌは不図示）、視力矯正レンズ５０Ｒ、左眼の視力矯正レンズ（不図示）、プリズム６０を支持している。筺体２６は、視力矯正レンズ５０Ｒ、プリズム６０を支持するための連結部２６Ｒ、左眼の視力矯正レンズを支持するための連結部（不図示）を備える。
【００４７】
連結部２６Ｒは、視力矯正レンズ５０Ｒ、プリズム６０の一端部を挟み込み、連結部２６Ｒの一端から視力矯正レンズ５０Ｒに設けられた取付孔５１、プリズム６０に設けられた取付孔６４にボルト２６ａが嵌入される。ボルト２６ａは、結合部２６Ｒの他端に螺合され、更にナット２６ｂに螺合されている。左眼の視力矯正レンズを支持するための連結部は、実施の形態１の連結部２５Ｌが左眼のプリズム１０Ｌを支持する構成と略同様であるため、図示及び説明は省略する。
【００４８】
視力矯正レンズ５０Ｒは、連結部２６Ｒと連結されるための取付孔５１が設けられている。
【００４９】
プリズム６０は、平板状であり、第１プリズム１１、ホログラム素子１３、第３プリズム６１から構成されている。プリズム６０を成す第１プリズム１１と第３プリズム６１は、相補的な形状を有し、隙間なく、かつ表面が連続するように接合されている。
第１プリズム１１、第３プリズム６１は、同じ材料で作製されており、これら両者に屈折率の差はない。また、プリズム６０は、連結部２６Ｒと連結されるための取付孔６４がそれぞれ設けられている。
【００５０】
プリズム６０は、小型軽量化を図るために、ホログラム素子１３の形状に応じた最も小型な形状であることが好ましい。本実施の形態２の映像表示装置を眼前に装着した使用者は、プリズム６０、視力矯正レンズ６０Ｒを通して外界と映像を観察することができる。
【００５１】
第３プリズム６１と接合される第１プリズム１１の部位形状は、実施の形態１と同様であるため、説明は省略する。
第１プリズム１１、第３プリズム６１、ホログラム素子１３により透光性を有する接眼光学ユニットが構成される。
【００５２】
図４に、本実施の形態２における眼鏡レンズ投光ユニット２０の一部断面図の他の例を示す。図４に示す本実施の形態２の映像表示装置の他の例の一部断面図は、右眼用の眼眼レンズとしての視力矯正レンズ５０Ｒと接眼光ユニットとしてのプリズム６０が別体として形成されており、プリズム６０を視力矯正レンズ５０Ｒの外側（視力矯正レンズ５０Ｒを基準として眼から遠い側。以下、使用者の眼後という。）に配置した構成となる他は、図３に示す構成と同様であるため、詳細な説明は省略する。
【００５３】
なお、本実施の形態２の映像表示装置は、右眼に映像を表示するように構成されているが、左眼に映像を表示するように構成されていてもよく、両眼に映像を表示するように構成されていてもよい。
【００５４】
このように、使用者が普段使用している眼鏡レンズを備えた眼鏡との組合せであっても、視力矯正をしつつ眼鏡の左右の重量バランスを向上させることができ、装着感が向上された映像表示装置を実現することができる。
【００５５】
[実施の形態３]
以下、図を参照して本発明の実施の形態３を詳細に説明する。
本実施の形態３の映像表示装置３は、投光ユニットと接眼光学ユニットが使用者の眼鏡に着脱可能な映像表示装置３である。実施の形態１又は２と同様の部分には同様の符号を付し、詳細な説明は省略する。
【００５６】
図５に、本実施の形態３における映像表示装置３の斜視図を示す。
図５に示すように、映像表示装置３の眼鏡レンズとしての視力矯正レンズ５０Ｒ、５０Ｌは、係合部材としてのソケット部２１０により連結され、ソケット部２１０には、使用者の鼻に掛ける鼻当て部３１Ｒ、３１Ｌが取り付けられている。視力矯正レンズ５０Ｒ、５０Ｌの両端には、使用者の耳に掛けるテンプル部３２Ｒ、３２Ｌが延設されている。
【００５７】
ソケット部２１０は、視力矯正レンズ５０Ｒ、５０Ｌを支持するための連結部２１１Ｒ、２１１Ｌと、カバーユニット２２０及び投光ユニット２３０が着脱可能な楔状の凹型接合面２１２を有し、視力矯正レンズ５０Ｒ、５０Ｌの間に設けられている。
【００５８】
カバーユニット２２０は、ソケット部２１０の凹型接合面２１２と接合される楔状の凸型接合面２２２を備える。カバーユニット２２０は、投光ユニット２３０をソケット部２１０から取り外した場合、ソケット部２１０の凹型接合部２１２を覆うカバーである。これにより、投光ユニット２３０を装着しない場合であっても、通常の眼鏡としてデザイン的に違和感なく使用することができる。
【００５９】
投光ユニット２３０は、ソケット部２１０の凹型接合面２１２と接合される楔状の凸型接合面２３２を備える。投光ユニット２３０は、接眼光学系のプリズム６０を支持している。また、投光ユニット２３０は、操作ユニット４０からの電源供給及び信号供給用としてケーブル４１が接続されている。投光ユニット２３０をソケット部２１０に装着させることにより、プリズム６０が使用者の眼前に配される。
【００６０】
なお、本実施の形態では、ソケット部２１０に楔状の凹型接合面、カバーユニット２２０及び投光ユニット２３０に楔状の凸型接合面をそれぞれ備える構成としたが、ソケット部２１０を介してカバーユニット２２０及び投光ユニット２３０とが脱着可能に構成されれば、他の構成であってもよい。
【００６１】
図６に、本実施の形態３における視力矯正レンズ５０Ｒとプリズム６０と投光ユニット２０の一部断面図を示す。
図６に示すように、ソケット部２１０とテンプル部３２Ｒに支持された視力矯正レンズ５０Ｒは、使用者の眼前に配置され、ソケット部２１０に装着されたプリズム６０及び投光ユニット２１０に支持されているプリズム６０は、視力矯正レンズ５０Ｒの後方に配置された構成となっている。
【００６２】
投光ユニット２０は、光源２１、集光レンズ２２、表示パネル２３、筺体２７等から構成され、ソケット部２１０と着脱可能な構成である。
【００６３】
筺体２７は、光源２１、集光レンズ２２、表示パネル２３を覆い保持し、かつ、プリズム６０を支持している。筺体２７は、プリズム６０を支持するための連結部２７Ｒと、筺体２７の外周面に、ソケット部２１０の凹型接合面２１２と接合される凸型接合面２３２が形成されている。
【００６４】
連結部２７Ｒは、プリズム６０の一端部を挟み込み、連結部２７Ｒの一端からプリズム６０に設けられた取付孔６４にボルト２７ａが嵌入される。ボルト２７ａは、連結部２７Ｒの他端に螺合され、更にナット２７ｂに螺合されている。
【００６５】
プリズム６０は、第１プリズム１１、第３プリズム６１、ホログラム素子１３から成る接眼光学ユニットであり、連結部２７Ｒと連結されるための取付孔６７が設けられている他は、実施の形態２と略同様な構成であるため、詳細な説明は省略する。
【００６６】
視力矯正レンズ５０Ｒ、５０Ｌは、ソケット部２１０の連結部２１１Ｒ、２１１Ｌとそれぞれ連結されるための取付孔５１が設けられている。
【００６７】
ソケット部２１０の連結部２１１Ｒは、連結部２７Ｒの一端から視力矯正レンズ５０Ｒに設けられた取付孔５１にネジ２１１ａと螺合されている。視力矯正レンズ５０Ｌを支持するための連結部２１１Ｌも同様の構成であるため、図示及び説明は省略する。
【００６８】
なお、視力矯正レンズ５０Ｒを眼前に配置し、プリズム６０をその後方に配置した構成に限らず、プリズム６０を眼前に配置し、視力矯正レンズ５０Ｒをその後方に配置してもよい。
【００６９】
なお、本実施の形態３の映像表示装置３は、右眼に映像を表示するように構成されているが、左眼に映像を表示するように構成されていてもよく、両眼に映像を表示するように構成されていてもよい。また、本発明では、視力矯正レンズの替わりに、同様形状で視力矯正機能の無い、無色又は着色した平板ガラスや平板樹脂（いわゆるダミーレンズ）を用いることもできる。
【００７０】
このように、ソケット部２１０を左右の視力矯正レンズの間に設け、ソケット部２１０を介して投光ユニット２３０及びカバーユニット２２０が着脱可能に設けられることによって、デザイン、眼鏡の左右の重量バランスを向上させることができ、装着感が向上された映像表示装置を実現することができる
【００７１】
また、本発明は、上記実施の形態の内容に限定されるものではなく、本発明の主旨を逸脱しない範囲で適宜変更可能である。
【図面の簡単な説明】
【００７２】
【図１】本実施の形態１における映像表示装置１の斜視図を示す。
【図２】本実施の形態１におけるプリズム１０Ｒと投光ユニット２０の一部断面図を示す。
【図３】本実施の形態２における眼鏡レンズと投光ユニット２０の一部断面図を示す。
【図４】本実施の形態２における眼鏡レンズ投光ユニット２０の一部断面図の他の例を示す。
【図５】本実施の形態３における映像表示装置３の斜視図を示す。
【図６】本実施の形態３における視力矯正レンズ５０Ｒとプリズム６０と投光ユニット２０の一部断面図を示す。
【符号の説明】
【００７３】
１、３  映像表示装置
１０Ｒ、１０Ｌ  プリズム
１１  第１プリズム
１１ａ  表面
１２  第２プリズム
１３  ホログラム素子
２０  投光ユニット
２１  光源
２２  集光レンズ
２３  表示パネル
２４、２６  筺体
２５ａ、２６ａ、２７ａ  ボルト
２５ｂ、２６ｂ、２７ｂ  ナット
２５Ｒ、２５Ｌ、２６Ｒ、２７Ｒ  連結部
３１Ｒ、３１Ｌ  鼻当て部
３２Ｒ、３２Ｌ  テンプル部
４０  操作ユニット
４１  ケーブル
５０Ｒ、５０Ｌ  視力矯正レンズ
５１、６４  取付孔
６１  第３プリズム
２１０  ソケット部
２１１Ｒ、２１１Ｌ  連結部
２１１ａ  ネジ
２１２  凹型接合面
２２０  カバーユニット
２２２  凸型接合面
２３０  投光ユニット
２３２  凸型接合面
Ｅ  眼
【図１】
2006126590.tif 000003
【図２】
2006126590.tif 000004
【図３】
2006126590.tif 000005
【図４】
2006126590.tif 000006
【図５】
2006126590.tif 000007
【図６】
2006126590.tif 000008